(57)【特許請求の範囲】
【請求項１】
無線通信により接続される複数の撮像装置の接続数に基づいて前記複数の撮像装置の撮像動作に関する表示画面の表示態様を切り替える制御を行う制御部を具備し、
前記制御部は前記複数の撮像装置のそれぞれにより生成された画像と前記複数の撮像装置の全てを操作するための操作対象物と前記複数の撮像装置のそれぞれを操作するための操作対象物とを含む前記表示画面を表示させ、
前記制御部は前記複数の撮像装置のうちで装着されている撮像装置が存在するか否かを判断し、装着されている撮像装置がある場合には当該撮像装置により生成された画像を他の撮像装置により生成された画像よりも拡大して前記表示画面に表示させ、装着されている撮像装置がない場合には前記複数の撮像装置のそれぞれにより生成された画像を同一サイズとした前記表示画面を表示させる
情報処理装置。
【請求項２】
前記撮像動作は撮影モード切替、シャッター操作、露出モード切替またはシーン情報表示のうち少なくとも１つを含む請求項１記載の情報処理装置。
【請求項３】
前記撮像動作はシャッター操作である請求項２記載の情報処理装置。
【請求項４】
前記制御部は前記情報処理装置に装着されている撮像装置がある場合には、当該撮像装置を操作するための操作対象物を、他の撮像装置を操作するための操作対象物よりも拡大して表示させる
請求項１から３のいずれかに記載の情報処理装置。
【請求項５】
前記制御部は、無線通信により前記情報処理装置に接続される撮像装置の接続数が複数である場合に限り、前記情報処理装置に装着されている撮像装置が存在するか否かによる前記表示画面の表示態様を切替える制御を行う
請求項１から４のいずれかに記載の情報処理装置。
【請求項６】
前記情報処理装置に装着されている撮像装置が存在するか否かを検出する検出部をさらに具備する請求項１から５のいずれかに記載の情報処理装置。
【請求項７】
無線通信により接続された情報処理装置において行われる操作入力に基づいて撮像動作に関する制御が行われる撮像装置と、
無線通信により接続された複数の撮像装置の接続数に基づいて前記複数の撮像装置の撮像動作に関する表示画面の表示態様を切り替える制御を行い、前記複数の撮像装置のそれぞれにより生成された画像と前記複数の撮像装置の全てを操作するための操作対象物と前記複数の撮像装置のそれぞれを操作するための操作対象物とを含む前記表示画面を表示し、前記複数の撮像装置のうちで装着されている撮像装置が存在するか否かを判断し、装着されている撮像装置がある場合には当該撮像装置により生成された画像を他の撮像装置により生成された画像よりも拡大して前記表示画面に表示し、装着されている撮像装置がない場合には前記複数の撮像装置のそれぞれにより生成された画像を同一サイズとした前記表示画面を表示する情報処理装置と
を具備する撮像システム。
【請求項８】
情報処理装置が、無線通信により当該情報処理装置と複数の撮像装置を接続し、
前記情報処理装置が、前記複数の撮像装置の接続数に基づいて前記情報処理装置の表示画面の表示態様を切り替える制御を行い、
前記情報処理装置が、前記複数の撮像装置のそれぞれにより生成された画像と前記複数の撮像装置の全てを操作するための操作対象物と前記複数の撮像装置のそれぞれを操作するための操作対象物とを含む前記表示画面を表示し、前記複数の撮像装置のうちで装着されている撮像装置が存在するか否かを判断し、装着されている撮像装置がある場合には当該撮像装置により生成された画像を他の撮像装置により生成された画像よりも拡大して前記表示画面に表示し、装着されている撮像装置がない場合には前記複数の撮像装置のそれぞれにより生成された画像を同一サイズとした前記表示画面を表示し、
前記表示画面の操作入力に基づいて前記複数の撮像装置の撮像動作を制御する
前記情報処理装置の制御方法。
【請求項９】
情報処理装置が、無線通信により当該情報処理装置と複数の撮像装置を接続し、
前記情報処理装置が、前記複数の撮像装置の接続数に基づいて前記情報処理装置の表示画面の表示態様を切り替える制御を行い、
前記情報処理装置が、前記複数の撮像装置のそれぞれにより生成された画像と前記複数の撮像装置の全てを操作するための操作対象物と前記複数の撮像装置のそれぞれを操作するための操作対象物とを含む前記表示画面を表示し、前記複数の撮像装置のうちで装着されている撮像装置が存在するか否かを判断し、装着されている撮像装置がある場合には当該撮像装置により生成された画像を他の撮像装置により生成された画像よりも拡大して前記表示画面に表示し、装着されている撮像装置がない場合には前記複数の撮像装置のそれぞれにより生成された画像を同一サイズとした前記表示画面を表示し、
前記表示画面の操作入力に基づいて前記複数の撮像装置の撮像動作を制御する
ことを前記情報処理装置に実行させるプログラム。
【発明の詳細な説明】
【技術分野】
【０００１】
本技術は、情報処理装置および撮像装置に関する。詳しくは、撮像動作に関する制御を行う情報処理装置、撮像装置、撮像システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。【０００６】
ここで、例えば、１つの撮像装置と複数の情報処理装置とが無線通信を利用して接続される場合や、複数の撮像装置と１つの情報処理装置とが無線通信を利用して接続される場合を想定する。これらの場合には、撮像装置および情報処理装置の使用態様が異なるため、その使用態様に応じて適切なユーザインターフェースを提供することが重要である。【０００７】
本技術はこのような状況に鑑みて生み出されたものであり、装置の使用態様に応じた適切なユーザインターフェースを提供することを目的とする。
【課題を解決するための手段】
【０００８】
本技術は、上述の問題点を解消するためになされたものであり、その第１の側面は、無線通信を利用して接続される撮像装置および情報処理装置の接続数に基づいて上記撮像装置の撮像動作に関する表示画面の表示態様を切り替える制御を行う制御部を具備する情報処理装置およびその制御方法ならびに当該方法をコンピュータに実行させるプログラムである。これにより、無線通信を利用して接続される撮像装置および情報処理装置の接続数に基づいて、撮像装置の撮像動作に関する表示画面の表示態様を切り替えるという作用をもたらす。【０００９】
また、この第１の側面において、上記制御部は、無線通信を利用して上記撮像装置に接続される情報処理装置の数に基づいて上記表示画面の表示態様を切り替える制御を行うようにしてもよい。これにより、無線通信を利用して撮像装置に接続される情報処理装置の数に基づいて表示画面の表示態様を切り替えるという作用をもたらす。【００１０】
また、この第１の側面において、上記制御部は、上記撮像装置に上記情報処理装置のみが接続されている場合には上記撮像装置を操作するための上記表示画面を表示させ、上記撮像装置に上記情報処理装置以外の他の情報処理装置が接続されている場合には上記撮像装置を操作するための操作権の有無に応じた上記表示画面を表示させる制御を行うようにしてもよい。これにより、撮像装置に１つの情報処理装置のみが接続されている場合には、撮像装置を操作するための表示画面を表示させ、撮像装置に複数の情報処理装置が接続されている場合には撮像装置を操作するための操作権の有無に応じた表示画面を表示させるという作用をもたらす。【００１１】
また、この第１の側面において、上記制御部は、上記撮像装置に上記情報処理装置および上記他の情報処理装置が接続されている場合において、上記情報処理装置が上記操作権を有するときには、上記撮像装置により生成された画像と上記撮像装置を操作するための操作対象物とを含む上記表示画面を表示させ、上記情報処理装置が上記操作権を有しないときには、上記撮像装置により生成された画像を含む上記表示画面を表示させる制御を行うようにしてもよい。これにより、撮像装置に複数の情報処理装置が接続されている場合において、情報処理装置が操作権を有するときには、撮像装置により生成された画像と撮像装置を操作するための操作対象物とを含む表示画面を表示させ、情報処理装置が操作権を有しないときには、撮像装置により生成された画像を含む表示画面を表示させるという作用をもたらす。【００１２】
また、この第１の側面において、上記制御部は、無線通信を利用して上記情報処理装置に接続される撮像装置の数に基づいて上記表示画面の表示態様を切り替える制御を行うようにしてもよい。これにより、無線通信を利用して情報処理装置に接続される撮像装置の数に基づいて表示画面の表示態様を切り替えるという作用をもたらす。【００１３】
また、この第１の側面において、上記制御部は、上記情報処理装置に１つの撮像装置のみが接続されている場合には当該撮像装置により生成された画像と当該撮像装置を操作するための操作対象物とを含む上記表示画面を表示させ、上記情報処理装置に複数の撮像装置が接続されている場合には上記複数の撮像装置のそれぞれにより生成された画像と上記複数の撮像装置を同時に操作するための操作対象物と上記複数の撮像装置のそれぞれを操作するための操作対象物とを含む上記表示画面を表示させる制御を行うようにしてもよい。これにより、情報処理装置に１つの撮像装置のみが接続されている場合には、その撮像装置により生成された画像とその撮像装置を操作するための操作対象物とを含む表示画面を表示させ、情報処理装置に複数の撮像装置が接続されている場合には、複数の撮像装置のそれぞれにより生成された画像と、複数の撮像装置を同時に操作するための操作対象物と、複数の撮像装置のそれぞれを操作するための操作対象物とを含む表示画面を表示させるという作用をもたらす。【００１４】
また、この第１の側面において、上記制御部は、上記情報処理装置に接続されている上記複数の撮像装置のうちで上記情報処理装置に装着されている撮像装置が存在する場合には当該撮像装置により生成された画像を拡大して表示させる制御を行うようにしてもよい。これにより、情報処理装置に装着されている撮像装置が存在する場合にはその撮像装置により生成された画像を拡大して表示させるという作用をもたらす。【００１５】
また、本技術の第２の側面は、無線通信を利用して接続される撮像装置および情報処理装置の接続数に基づいて表示態様が切り替えられる表示画面が表示される上記情報処理装置において行われる上記表示画面を用いた操作入力に基づいて撮像動作に関する制御を行う制御部を具備する撮像装置およびその制御方法ならびに当該方法をコンピュータに実行させるプログラムである。これにより、無線通信を利用して接続される撮像装置および情報処理装置の接続数に基づいて表示態様が切り替えられる表示画面が表示される情報処理装置において行われる表示画面を用いた操作入力に基づいて撮像動作に関する制御を行うという作用をもたらす。【００１６】
また、この第２の側面において、無線通信を利用して上記撮像装置に接続される情報処理装置の数に基づいて上記表示画面の表示態様が切り替えられるようにしてもよい。これにより、無線通信を利用して撮像装置に接続される情報処理装置の数に基づいて表示画面の表示態様が切り替えられるという作用をもたらす。【００１７】
また、この第２の側面において、上記撮像装置に１つの情報処理装置のみが接続されている場合には上記撮像装置を操作するための上記表示画面が当該情報処理装置に表示され、上記撮像装置に複数の情報処理装置が接続されている場合には上記撮像装置を操作するための操作権の有無に応じた上記表示画面が上記複数の情報処理装置のそれぞれに表示されるようにしてもよい。これにより、撮像装置に１つの情報処理装置のみが接続されている場合には、撮像装置を操作するための表示画面がその情報処理装置に表示され、撮像装置に複数の情報処理装置が接続されている場合には、撮像装置を操作するための操作権の有無に応じた表示画面が複数の情報処理装置のそれぞれに表示されるという作用をもたらす。【００１８】
また、この第２の側面において、上記撮像装置に上記複数の情報処理装置が接続されている場合に、上記操作権を有する情報処理装置には、上記撮像装置により生成された画像と上記撮像装置を操作するための操作対象物とを含む上記表示画面が表示され、上記操作権を有しない情報処理装置には、上記撮像装置により生成された画像を含む上記表示画面が表示されるようにしてもよい。これにより、撮像装置に複数の情報処理装置が接続されている場合に、操作権を有する情報処理装置には、撮像装置により生成された画像と撮像装置を操作するための操作対象物とを含む表示画面が表示され、操作権を有しない情報処理装置には、撮像装置により生成された画像を含む表示画面が表示されるという作用をもたらす。【００１９】
また、この第２の側面において、無線通信を利用して上記情報処理装置に接続される撮像装置の数に基づいて上記表示画面の表示態様が切り替えられるようにしてもよい。これにより、無線通信を利用して情報処理装置に接続される撮像装置の数に基づいて表示画面の表示態様が切り替えられるという作用をもたらす。【００２０】
また、この第２の側面において、上記情報処理装置に１つの撮像装置のみが接続されている場合には当該撮像装置により生成された画像と当該撮像装置を操作するための操作対象物とを含む上記表示画面が上記情報処理装置に表示され、上記情報処理装置に複数の撮像装置が接続されている場合には上記複数の撮像装置のそれぞれにより生成された画像と上記複数の撮像装置を同時に操作するための操作対象物と上記複数の撮像装置のそれぞれを操作するための操作対象物とを含む上記表示画面が上記情報処理装置に表示されるようにしてもよい。これにより、情報処理装置に１つの撮像装置のみが接続されている場合には、その撮像装置により生成された画像とその撮像装置を操作するための操作対象物とを含む表示画面が情報処理装置に表示され、情報処理装置に複数の撮像装置が接続されている場合には、複数の撮像装置のそれぞれにより生成された画像と、複数の撮像装置を同時に操作するための操作対象物と、複数の撮像装置のそれぞれを操作するための操作対象物とを含む表示画面が情報処理装置に表示されるという作用をもたらす。【００２１】
また、この第２の側面において、上記情報処理装置に接続されている上記複数の撮像装置のうちで上記情報処理装置に装着されている撮像装置が存在する場合には当該撮像装置により生成された画像が拡大して表示されるようにしてもよい。これにより、情報処理装置に装着されている撮像装置が存在する場合にはその撮像装置により生成された画像が拡大して表示されるという作用をもたらす。【００２２】
また、本技術の第３の側面は、無線通信を利用して情報処理装置と接続されて上記情報処理装置において行われる操作入力に基づいて撮像動作に関する制御が行われる撮像装置と、無線通信を利用して接続される上記撮像装置および上記情報処理装置の接続数に基づいて上記撮像装置の撮像動作に関する表示画面の表示態様を切り替える制御を行う情報処理装置とを具備する撮像システムおよびその制御方法ならびに当該方法をコンピュータに実行させるプログラムである。これにより、撮像装置は、無線通信を利用して情報処理装置と接続されて情報処理装置において行われる操作入力に基づいて撮像動作に関する制御が行われ、情報処理装置は、無線通信を利用して接続される撮像装置および情報処理装置の接続数に基づいて撮像装置の撮像動作に関する表示画面の表示態様を切り替えるという作用をもたらす。
【発明の効果】
【００２３】
本技術によれば、装置の使用態様に応じた適切なユーザインターフェースを提供することができるという優れた効果を奏し得る。なお、ここに記載された効果は必ずしも限定されるものではなく、本開示中に記載されたいずれかの効果であってもよい。
【図面の簡単な説明】
【００２４】
【図１】本技術の第１の実施の形態における撮像装置１００の外観構成を示す図である。
【図２】本技術の第１の実施の形態における撮像装置１００の外観構成を示す図である。
【図３】本技術の第１の実施の形態における撮像装置１００および情報処理装置２００の機能構成例を示すブロック図である。
【図４】本技術の第１の実施の形態における撮像装置１００および情報処理装置２００乃至２０３の使用例を示す図である。
【図５】本技術の第１の実施の形態における撮像装置１００および情報処理装置２００乃至２０３の使用例を示す図である。
【図６】本技術の第１の実施の形態における入出力部２４０に表示される表示画面の表示例を示す図である。
【図７】本技術の第１の実施の形態における入出力部２４０に表示される表示画面の表示例を示す図である。
【図８】本技術の第１の実施の形態における情報処理装置２００による表示制御処理の処理手順の一例を示すフローチャートである。
【図９】本技術の第２の実施の形態における撮像装置１００乃至１０３および情報処理装置２００の使用例を示す図である。
【図１０】本技術の第２の実施の形態における撮像装置１００乃至１０３および情報処理装置２００の使用例を示す図である。
【図１１】本技術の第２の実施の形態における入出力部２４０に表示される表示画面の表示例を示す図である。
【図１２】本技術の第２の実施の形態における情報処理装置２００による表示制御処理の処理手順の一例を示すフローチャートである。
【図１３】本技術の第２の実施の形態における情報処理装置２００による表示制御処理の処理手順の一例を示すフローチャートである。
【図１４】本技術の第２の実施の形態における情報処理装置２００による画像の記録動作指示処理の処理手順の一例を示すフローチャートである。
【発明を実施するための形態】
【００２５】
以下、本技術を実施するための形態（以下、実施の形態と称する）について説明する。説明は以下の順序により行う。
１．第１の実施の形態（１つの撮像装置に接続されている情報処理装置の数に基づいて表示画面の表示態様を切り替える例）
２．第２の実施の形態（１つの情報処理装置に接続されている撮像装置の数に基づいて表示画面の表示態様を切り替える例）
【００２６】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２７】
また、本技術の実施の形態では、撮像装置１００を、円筒形（円柱形）の撮像装置とする例を示す。すなわち、撮像装置１００の形状を、一般の撮像装置（例えば、一体型カメラ）のレンズ部分のみを取り出したような形状とする例を示す。なお、撮像装置１００は、ズームレバーやシャッターボタン等の操作部材を備えるが、図１等では、これらの図示を省略する。また、撮像装置１００は、例えば、デジタルスチルカメラやデジタルビデオカメラ（例えば、カメラ一体型レコーダ）により実現される。
【００２８】
撮像装置１００は、鏡筒１６０と、取付部材１７１、１７２とを備える。鏡筒１６０は、光学系、撮像系等の各部材を収容するものである。
【００２９】
取付部材１７１、１７２は、撮像装置１００を他の装置（例えば、図２に示す情報処理装置２００）に取り付ける際に用いられるアタッチメントである。例えば、他の装置の形状、サイズに応じて、取付部材１７１を矢印１７３方向に移動させ、取付部材１７２を矢印１７４方向に移動させることにより、撮像装置１００をその装置に取り付けることができる。すなわち、取付部材１７１、１７２は、撮像装置１００を他の装置に固定するためのアタッチメントである。また、撮像装置１００を他の装置に装着する場合のアタッチメント面を装着面１７５（図１のａに示すレンズ側の面の反対側の面）として示す。なお、撮像装置１００を他の装置に取り付ける場合の例を図２に示す。
【００３０】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００３１】
［撮像装置の取付例］
図２は、本技術の第１の実施の形態における撮像装置１００を情報処理装置２００に取り付けた場合の外観構成を示す図である。
【００３２】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００の一面において撮像装置１００をずらして取り付けた場合の斜視図を示す。
【００３３】
情報処理装置２００は、操作部材２２１乃至２２３と、入出力部２４０と、音声出力部２８０と、発光部２９１と、撮像部２９２とを備える。なお、情報処理装置２００は、例えば、スマートフォン、タブレット端末等の情報処理装置により実現される。
【００３４】
操作部材２２１乃至２２３は、各種の操作入力を行う際に用いられる操作部材である。
【００３５】
入出力部２４０は、各種画像を表示するとともに、入出力部２４０の表示面に近接または接触する物体の検出状態に基づいてユーザからの操作入力を受け付けるものである。
【００３６】
音声出力部２８０は、各種の音声情報を出力するものである。
【００３７】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３８】
撮像部２９２は、被写体を撮像して画像（画像データ）を生成するものである。
【００３９】
図２に示すように、撮像装置１００の取付部材１７１、１７２により情報処理装置２００の本体を挟むことにより、撮像装置１００を情報処理装置２００に固定することができる。
【００４０】
［撮像装置および情報処理装置の機能構成例］
図３は、本技術の第１の実施の形態における撮像装置１００および情報処理装置２００の機能構成例を示すブロック図である。なお、撮像装置１００および情報処理装置２００により構成される撮像システムは、請求の範囲に記載の撮像システムの一例である。
【００４１】
撮像装置１００は、撮像部１１０と、画像処理部１２０と、記憶部１３０と、制御部１４０と、無線通信部１５０とを備える。
【００４２】
撮像部１１０は、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００４３】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４４】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４５】
制御部１４０は、制御プログラムに基づいて撮像装置１００における各部を制御するものである。例えば、制御部１４０は、撮像装置１００に備えられているズームレバーやシャッターボタン等の操作部材（図示せず）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００４６】
無線通信部１５０は、無線通信を利用して、他の情報処理装置（例えば、情報処理装置２００）との間で各情報（例えば、制御データ、画像データ）の送受信を行うものである。
【００４７】
ここで、無線通信として、例えば、無線ＬＡＮ（Local Area Network）を用いることができる。この無線ＬＡＮとして、例えば、Ｗｉ−Ｆｉ（Wireless Fidelity）を用いることができる。また、無線通信として、例えば、ＮＦＣ（Near Field Communication）、Ｂｌｕｅｔｏｏｔｈ（登録商標）、赤外線、携帯電波等の無線通信を用いることができる。
【００４８】
また、複数の無線通信方式を用いるようにしてもよい。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００４９】
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００５０】
姿勢検出部２１０は、情報処理装置２００の加速度、動き、傾き等を検出することにより情報処理装置２００の姿勢の変化を検出するものであり、検出された姿勢の変化に関する姿勢情報を制御部２５０に出力する。なお、姿勢検出部２１０として、例えば、ジャイロセンサ、加速度センサ等の各種センサを用いることができる。
【００５１】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２に示す操作部材２２１乃至２２３に対応する。
【００５２】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００５３】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００５４】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００５５】
例えば、ユーザは表示部２４２に表示されている操作対象物等の接触操作（または、近接操作）を行うことにより情報処理装置２００や撮像装置１００の操作が可能となる。ここで、操作対象物は、例えば、図６に示す操作対象物３０２乃至３０６のように、入出力部２４０に表示されるものであり、操作入力を行うための操作ボタン（ＧＵＩボタン）等である。
【００５６】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００５７】
また、例えば、制御部２５０は、無線通信部２３０を介して情報処理装置２００および撮像装置１００が接続されている場合には、撮像装置１００の撮像動作に関する表示画面を入出力部２４０に表示させる。この場合に、制御部２５０は、撮像装置および情報処理装置の接続数（撮像装置１００、情報処理装置２００を含む接続数）に基づいて、撮像装置１００の撮像動作に関する表示画面の表示態様を切り替える制御を行う。
【００５８】
例えば、制御部２５０は、撮像装置１００に接続される情報処理装置の数（情報処理装置２００を含む数）に基づいて、表示画面の表示態様を切り替える制御を行う。例えば、制御部２５０は、撮像装置１００に情報処理装置２００のみが接続されている場合（情報処理装置の接続数が１の場合）には、撮像装置１００を操作するための表示画面（例えば、図６に示す表示画面）を表示させる制御を行う。一方、制御部２５０は、撮像装置１００に複数の情報処理装置が接続されている場合（情報処理装置の接続数が１の場合）には、撮像装置１００を操作するための操作権の有無に応じた表示画面（例えば、図７に示す表示画面）を表示させる制御を行う。
【００５９】
例えば、撮像装置１００に複数の情報処理装置（情報処理装置２００を含む）が接続されている場合を想定する。この場合に、情報処理装置２００が操作権を有するときには、制御部２５０は、撮像装置１００により生成された画像（ライブビュー画像）と、撮像装置１００を操作するための操作対象物とを含む表示画面（例えば、図７のａに示す表示画面）を表示させる。一方、情報処理装置２００が操作権を有しないときには、制御部２５０は、撮像装置１００により生成された画像（ライブビュー画像）を含む表示画面（例えば、図７のｂに示す表示画面）を表示させる制御を行う。ここで、操作権は、無線通信を利用して接続されている撮像装置を操作する権利である。
【００６０】
このように、情報処理装置２００において、無線通信を利用して接続される撮像装置１００および情報処理装置２００の接続数に基づいて表示画面の表示態様が切り替えられる。また、撮像装置１００の制御部１４０は、表示画面が表示される情報処理装置２００において行われるその表示画面を用いた操作入力に基づいて撮像動作に関する制御を行う。
【００６１】
画像処理部２６０は、制御部２５０の制御に基づいて、撮像装置１００により生成された画像や撮像部２９２（図２のａに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００６２】
記憶部２７０は、制御部２５０の制御に基づいて、各情報を記憶する記録媒体である。例えば、記憶部２７０には、撮像装置１００により生成された画像や撮像部２９２（図２のａに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６３】
音声出力部２８０は、制御部２５０の制御に基づいて、音声情報を出力するものである。音声出力部２８０は、例えば、スピーカにより実現することができる。
【００６４】
［撮像装置および情報処理装置の使用例］
図４および図５は、本技術の第１の実施の形態における撮像装置１００および情報処理装置２００乃至２０３の使用例を示す図である。なお、情報処理装置２０１乃至２０３の構成については、情報処理装置２００と同様であるため、ここでの説明を省略する。
【００６５】
図４のａには、１つの情報処理装置２００に１つの撮像装置１００を装着して使用する場合の一例を示す。例えば、図２に示すように、情報処理装置２００の一面（撮像部２９２が設けられている面）に撮像装置１００を装着することができる。この場合には、ユーザ４００は、撮像装置１００が装着されている情報処理装置２００を用いて、一般の撮像装置（例えば、一体型カメラ）を使用した撮影と略同様に撮影を行うことができる。
【００６６】
図４のｂおよび図５には、複数の情報処理装置２００乃至２０３に１つの撮像装置１００を接続して使用する場合の一例を示す。例えば、同一の被写体の画像を複数のユーザ４００乃至４０３がリアルタイムで見る場合に、一人のユーザ４００が撮影を担当するような場合が想定される。
【００６７】
図４のｂには、複数の情報処理装置２００乃至２０３から離れている場所に撮像装置１００を設置する使用例を示す。この場合には、複数の情報処理装置２００乃至２０３のうちの何れかを用いて撮像装置１００を遠隔操作することができる。
【００６８】
図５には、情報処理装置２００に撮像装置１００を装着して使用する場合の例を示す。この場合でも、複数の情報処理装置２００乃至２０３のうちの何れか（例えば、情報処理装置２００）を用いて撮像装置１００を遠隔操作することができる。
【００６９】
このように、１つの撮像装置１００に１つの情報処理装置２００を接続して使用する場合と、１つの撮像装置１００に複数の情報処理装置２００乃至２０３を接続して使用する場合とが想定される。そこで、本技術の第１の実施の形態では、１つの撮像装置１００に接続される情報処理装置の数に基づいて表示画面の表示態様を切り替える例を示す。
【００７０】
［情報処理装置の接続数の取得例］
ここで、撮像装置１００に接続される情報処理装置の数を取得する方法について説明する。例えば、撮像装置１００の制御部１４０は、無線通信を利用して無線通信部１５０に接続されている情報処理装置の数（接続数）を把握することができる。そこで、撮像装置１００の制御部１４０は、無線通信を利用して無線通信部１５０に接続されている各情報処理装置に、その接続数を定期的または不定期に通知する。例えば、撮像装置１００の制御部１４０は、各情報処理装置からの要求に応じて、接続数を通知するようにしてもよく、接続数が変更される毎に各情報処理装置に接続数を通知するようにしてもよい。
【００７１】
このように、無線通信を利用して撮像装置１００に接続している各情報処理装置は、撮像装置１００からの通知により接続数を取得することができる。
【００７２】
［撮像装置の装着を検出する例］
次に、情報処理装置２００における撮像装置１００の装着を検出する方法について説明する。
【００７３】
［受信電波強度を用いた検出例］
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。例えば、情報処理装置２００の制御部２５０は、その距離が閾値（例えば、１ｃｍ程度）を基準として小さい場合に、情報処理装置２００に撮像装置１００が装着されたと判断することができる。
【００７４】
［装着を検出するための部材を用いる例］
例えば、情報処理装置２００に撮像装置１００が装着されたことを検出するための部材を用いて撮像装置１００の装着を検出することができる。その部材として、例えば、撮像装置１００および情報処理装置２００の少なくとも一方にスイッチを設けることができる。
【００７５】
例えば、撮像装置１００にスイッチを設ける場合を想定する。この場合には、情報処理装置２００に撮像装置１００が装着されたときには、そのスイッチによりその装着が検出され、その装着が検出された旨を示す情報が制御部１４０に出力される。そして、その装着が検出された旨を示す情報を取得した場合には、制御部１４０は、その旨を無線通信部１５０を介して情報処理装置２００に送信する。これにより、情報処理装置２００の制御部２５０は、情報処理装置２００に撮像装置１００が装着されたことを検出することができる。
【００７６】
また、例えば、情報処理装置２００にスイッチを設ける場合を想定する。この場合に、情報処理装置２００に撮像装置１００が装着されたときには、そのスイッチによりその装着が検出され、その装着が検出された旨を示す情報が制御部２５０に出力される。これにより、情報処理装置２００の制御部２５０は、情報処理装置２００に撮像装置１００が装着されたことを検出することができる。
【００７７】
また、他のセンサを用いて、情報処理装置２００に撮像装置１００が装着されたことを検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出し、この距離に基づいて、情報処理装置２００に撮像装置１００が装着されたことを検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。
【００７８】
なお、上述した距離の検出方法や装着の検出方法は、一例であり、これらに限定されるものではなく、他の検出方法を用いるようにしてもよい。
【００７９】
［表示画面の表示例］
図６および図７は、本技術の第１の実施の形態における入出力部２４０に表示される表示画面の表示例を示す図である。
【００８０】
［１つの撮像装置に１つの情報処理装置が接続されている場合の表示例］
図６には、１つの撮像装置１００に１つの情報処理装置２００が接続されている場合の表示例を示す。
【００８１】
図６では、撮像装置１００および情報処理装置２００を用いた撮像動作が行われている場合に、撮像装置１００の撮像部１１０により生成された画像がライブビュー画像３００として入出力部２４０に表示される例を示す。すなわち、撮像装置１００の撮像部１１０により生成された画像が、無線通信部１５０、２３０を介して、情報処理装置２００に順次送信され、その画像がライブビュー画像として入出力部２４０に表示される。なお、図６では、山とその前を歩いている犬とを被写体とする画像をライブビュー画像３００として表示する例を示す。
【００８２】
また、図６では、撮像装置１００および情報処理装置２００を用いた撮像動作が行われている場合に、撮像装置１００を操作するための操作対象物３０２乃至３０６を入出力部２４０に表示する例を示す。なお、図６では、操作対象物３０２乃至３０６を、ライブビュー画像の周りに表示する例を示すが、ライブビュー画像に重ねて表示するようにしてもよい。
【００８３】
なお、操作対象物３０２は、撮像装置１００の撮影モードを切り替える際に押下される操作対象物である。また、操作対象物３０３は、撮像装置１００のシャッター操作を行う際に押下される操作対象物である。また、操作対象物３０４は、撮像装置１００の各種の設定操作を行う際に押下される操作対象物である。また、操作対象物３０５は、撮像装置１００の露出モードを切り替える際に押下される操作対象物である。また、操作対象物３０６は、撮像装置１００において設定されているシーン情報を表示するための操作対象物である。
【００８４】
このように、１つの撮像装置１００に１つの情報処理装置２００が接続されている場合には、ライブビュー画像３００が表示され、ライブビュー画像３００の両側に複数の操作対象物３０２乃至３０６が表示される。
【００８５】
図６には、１つの撮像装置１００に１つの情報処理装置２００が接続されている場合の表示例を示す。また、図７には、１つの撮像装置１００に複数の情報処理装置が接続されている場合の表示例を示す。
【００８６】
［１つの撮像装置に複数の情報処理装置が接続されている場合の表示例］
図７には、１つの撮像装置１００に複数の情報処理装置（例えば、図４のｂに示す情報処理装置２００乃至２０３）が接続されている場合の表示例を示す。
【００８７】
ここで、本技術の第１の実施の形態では、１つの撮像装置に複数の情報処理装置が接続されている場合には、各情報処理装置に操作権およびライブビュー権を設定する例を示す。
【００８８】
ここで、操作権は、上述したように、無線通信を利用して接続されている撮像装置を操作する権利である。この操作権は、例えば、複数の情報処理装置のうちの所定数（例えば、１）の情報処理装置のみに設定することができる。例えば、撮像装置を装着している情報処理装置が存在する場合には、この情報処理装置に操作権を設定することができる。また、例えば、撮像装置を装着している情報処理装置が存在しない場合には、所定規則やユーザ操作に基づいて操作権を設定することができる。例えば、最初に接続した情報処理装置に操作権を設定する規則を所定規則とすることができる。また、操作権については、最初に設定された情報処理装置から他の情報処理装置に移転するようにしてもよい。例えば、所定規則（例えば、５分間隔で移動）やユーザ操作に基づいて操作権を移転することができる。
【００８９】
また、ライブビュー権は、無線通信を利用して接続されている撮像装置により生成された画像をライブビュー画像として表示する権利である。このライブビュー権は、例えば、複数の情報処理装置の全てに設定することができる。なお、ライブビュー権については、複数の情報処理装置の一部に設定しないようにしてもよい。
【００９０】
図７のａには、情報処理装置２００が操作権およびライブビュー権を有する場合に入出力部２４０に表示される表示画面の一例を示す。この場合には、情報処理装置２００が操作権を有するため、図６に示す例と同様に、撮像装置１００を操作するための操作対象物３０２乃至３０６が入出力部２４０に表示される。
【００９１】
図７のｂには、情報処理装置２００がライブビュー権のみを有する場合（情報処理装置２００が操作権を有しない場合）に入出力部２４０に表示される表示画面の一例を示す。この場合には、情報処理装置２００が操作権を有しないため、撮像装置１００を操作するための操作対象物３０２乃至３０６が表示されない。このため、入出力部２４０にはライブビュー画像３００のみが表示される。
【００９２】
このように、１つの撮像装置１００に複数の情報処理装置が接続されている場合には、全ての情報処理装置にライブビュー画像３００が表示される。ただし、複数の操作対象物３０２乃至３０６については、操作権を有する情報処理装置のみに表示される。
【００９３】
［情報処理装置の動作例］
図８は、本技術の第１の実施の形態における情報処理装置２００による表示制御処理の処理手順の一例を示すフローチャートである。
【００９４】
最初に、制御部２５０は、無線通信を利用して撮像装置１００に接続されている情報処理装置の数（接続数）を検出する（ステップＳ９０１）。この接続数の検出方法については、上述した何れかの方法を用いることができる。
【００９５】
続いて、制御部２５０は、撮像装置１００への接続数に変化が生じたか否かを判断する（ステップＳ９０２）。ここで、接続数に変化が生じた場合は、例えば、接続数が増加した場合、または、接続数が減少した場合を意味する。そして、接続数に変化が生じていない場合には（ステップＳ９０２）、ステップＳ９１０に進む。
【００９６】
また、接続数に変化が生じた場合には（ステップＳ９０２）、制御部２５０は、その変化後の接続数が１であるか否かを判断する（ステップＳ９０３）。そして、その変化後の接続数が１である場合には（ステップＳ９０３）、制御部２５０は、接続数が１の場合の表示画面を入出力部２４０に表示させる（ステップＳ９０４）。例えば、図６に示す表示画面が入出力部２４０に表示される。
【００９７】
その変化後の接続数が１ではない場合（２以上の場合）には（ステップＳ９０３）、制御部２５０は、情報処理装置２００に操作権およびライブビュー権が設定されているか否かを判断する（ステップＳ９０５）。そして、情報処理装置２００に操作権およびライブビュー権が設定されている場合には（ステップＳ９０５）、操作権およびライブビュー権が設定されている場合の表示画面を入出力部２４０に表示させる（ステップＳ９０６）。例えば、図７のａに示す表示画面が入出力部２４０に表示される。
【００９８】
また、情報処理装置２００にライブビュー権のみが設定されている場合には（ステップＳ９０７）、ライブビュー権のみが設定されている場合の表示画面を入出力部２４０に表示させる（ステップＳ９０８）。例えば、図７のｂに示す表示画面が入出力部２４０に表示される。なお、情報処理装置２００にライブビュー権が設定されていない場合には（ステップＳ９０７）、撮像装置１００に接続されている旨を通知するための表示画面を入出力部２４０に表示させる（ステップＳ９０９）。
【００９９】
続いて、制御部２５０は、撮像動作の終了指示があったか否かを判断し（ステップＳ９１０）、撮像動作の終了指示がない場合には、ステップＳ９０１に戻り、撮像動作の終了指示があった場合には、表示制御処理の動作を終了する。
【０１００】
＜２．第２の実施の形態＞
本技術の第１の実施の形態では、１つの撮像装置に接続されている情報処理装置の数に基づいて表示画面の表示態様を切り替える例を示した。ここで、例えば、１つの情報処理装置に複数の撮像装置が接続されることも想定される。
【０１０１】
そこで、本技術の第２の実施の形態では、１つの情報処理装置に接続されている撮像装置の数に基づいて表示画面の表示態様を切り替える例を示す。なお、本技術の第２の実施の形態における撮像装置および情報処理装置は、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１０２】
［撮像装置および情報処理装置の使用例］
図９および図１０は、本技術の第２の実施の形態における撮像装置１００乃至１０３および情報処理装置２００の使用例を示す図である。なお、撮像装置１０１乃至１０３の構成については、撮像装置１００と同様であるため、ここでの説明を省略する。
【０１０３】
図９のａには、１つの情報処理装置２００に１つの撮像装置１００を装着して使用する場合の一例を示す。図９のａに示す例は、図４のａと同様である。また、この場合における表示画面についても、図６と同様とすることができる。
【０１０４】
図９のｂおよび図１０には、複数の撮像装置１００乃至１０３に１つの情報処理装置２００を接続して使用する場合の一例を示す。例えば、一人のユーザ４００が、同一の被写体を各方面から同時に撮影するような場合が想定される。
【０１０５】
図９のｂには、情報処理装置２００から離れている場所に複数の撮像装置１００乃至１０３を設置する使用例を示す。この場合には、１つの情報処理装置２００を用いて複数の撮像装置１００乃至１０３を遠隔操作することができる。
【０１０６】
図１０には、情報処理装置２００に撮像装置１００を装着して使用する場合の例を示す。この場合でも、１つの情報処理装置２００を用いて複数の撮像装置１００乃至１０３を遠隔操作することができる。
【０１０７】
このように、１つの撮像装置１００に１つの情報処理装置２００を接続して使用する場合と、１つの情報処理装置２００に複数の撮像装置１００乃至１０３を接続して使用する場合とが想定される。そこで、本技術の第２の実施の形態では、１つの情報処理装置２００に接続される撮像装置の数に基づいて表示画面の表示態様を切り替える例を示す。
【０１０８】
［撮像装置の接続数の取得例］
ここで、情報処理装置２００に接続される撮像装置の数を取得する方法について説明する。例えば、情報処理装置２００の制御部２５０は、無線通信を利用して無線通信部２３０に接続されている撮像装置の数（接続数）を把握することができる。このため、情報処理装置２００の制御部２５０は、その把握している接続数を用いて表示画面の表示態様を切り替えることができる。
【０１０９】
［１つの情報処理装置に複数の撮像装置が接続されている場合の表示例］
図１１は、本技術の第２の実施の形態における入出力部２４０に表示される表示画面の表示例を示す図である。図１１では、図９のｂに示すように、１つの情報処理装置２００に４つの撮像装置１００乃至１０３が接続されている場合の表示例を示す。
【０１１０】
［各撮像装置のライブビュー画像を同一サイズで表示する例］
図１１のａには、１つの情報処理装置２００に接続されている各撮像装置のライブビュー画像を同一サイズで表示する場合の表示例（表示画面３１０）を示す。
【０１１１】
表示画面３１０には、情報処理装置２００に接続されている４つの撮像装置１００乃至１０３に対応するライブビュー画像表示領域３２１乃至３２４が表示される。すなわち、表示画面３１０において、撮像装置毎に１つのライブビュー画像表示領域が配置される。そして、ライブビュー画像表示領域３２１乃至３２４には、対応する撮像装置により生成された画像がライブビュー画像として表示される。例えば、ライブビュー画像表示領域３２１には、撮像装置１００により生成された画像がライブビュー画像として表示され、ライブビュー画像表示領域３２２には、撮像装置１０１により生成された画像がライブビュー画像として表示されるものとする。また、例えば、ライブビュー画像表示領域３２３には、撮像装置１０２により生成された画像がライブビュー画像として表示され、ライブビュー画像表示領域３２４には、撮像装置１０３により生成された画像がライブビュー画像として表示されるものとする。
【０１１２】
また、ライブビュー画像表示領域３２１乃至３２４には、対応する撮像装置を識別するための識別情報が表示される。図１１のａでは、ライブビュー画像表示領域３２１乃至３２４の下側の領域（ライブビュー画像の下側）に各識別情報を表示する例を示す。
【０１１３】
また、表示画面３１０には、操作対象物３１１、３３１乃至３３４が表示される。操作対象物３１１、３３１乃至３３４は、撮像装置のシャッター操作を行う際に押下される操作対象物である。すなわち、操作対象物３１１、３３１乃至３３４は、撮像装置に画像の記録動作を指示する際に押下される操作対象物である。
【０１１４】
操作対象物３１１は、４つの撮像装置１００乃至１０３の全てについてシャッター操作を行う際に押下される操作対象物である。すなわち、操作対象物３１１は、複数の撮像装置を同時に操作するための操作対象物である。この操作対象物３１１を用いることにより、複数の撮像装置１００乃至１０３のそれぞれのシャッター操作を、１回の操作（操作対象物３１１の押下操作）で行うことができる。
【０１１５】
また、操作対象物３３１乃至３３４は、ライブビュー画像表示領域３２１乃至３２４と同様に、撮像装置毎に配置される。例えば、操作対象物３３１は、撮像装置１００のシャッター操作を行う際に押下される操作対象物であり、操作対象物３３２は、撮像装置１０１のシャッター操作を行う際に押下される操作対象物であるものとする。また、操作対象物３３３は、撮像装置１０２のシャッター操作を行う際に押下される操作対象物であり、操作対象物３３４は、撮像装置１０３のシャッター操作を行う際に押下される操作対象物であるものとする。
【０１１６】
すなわち、複数の撮像装置のそれぞれのシャッター操作を行う場合には、操作対象物３１１の押下操作を行い、複数の撮像装置のうちの一部のシャッター操作を行う場合には、操作対象物３３１乃至３３４の押下操作を行うようにする。
【０１１７】
［一部の撮像装置のライブビュー画像を拡大して表示する例］
図１１のｂには、１つの情報処理装置２００に接続されている各撮像装置のうちの一部の撮像装置のライブビュー画像を拡大して表示する場合の表示例（表示画面３４０）を示す。図１１のｂでは、情報処理装置２００に装着されている撮像装置のライブビュー画像を拡大して表示する例を示す。具体的には、図１１のｂでは、図１０に示すように、情報処理装置２００に撮像装置１００が装着されている場合の表示例を示す。
【０１１８】
表示画面３４０には、情報処理装置２００に接続されている４つの撮像装置１００乃至１０３に対応するライブビュー画像表示領域３４１乃至３４４が表示される。ここで、表示画面３４０は、情報処理装置２００に装着されている撮像装置１００のライブビュー画像表示領域３４１のサイズが他のサイズよりも大きくなるように拡大して表示される点が、図１１のａに示す表示画面３１０と異なる。また、表示画面３４０は、情報処理装置２００に装着されている撮像装置１００に対応する操作対象物３５１のサイズが他のサイズよりも大きくなるように拡大して表示される点が、図１１のａに示す表示画面３１０と異なる。なお、ライブビュー画像表示領域３４１および操作対象物３５１のサイズを拡大して表示する点以外は、図１１のａに示す表示画面３１０と同様である。
【０１１９】
すなわち、ライブビュー画像表示領域３４１乃至３４４は、図１１のａに示すライブビュー画像表示領域３２１乃至３２４に対応し、操作対象物３５１乃至３５４は、図１１のａに示す操作対象物３３１乃至３３４に対応する。
【０１２０】
このように、情報処理装置２００に装着されている撮像装置１００のライブビュー画像表示領域３４１のサイズを拡大して表示することにより、ユーザ４００（図１０に示す）は、撮像装置１００のライブビュー画像を容易に把握することができる。また、操作対象物３５１が拡大して表示されているため、撮像装置１００のシャッター操作を容易に行うことができる。
【０１２１】
なお、図１１では、撮像装置に画像の記録動作を指示する際に押下される操作対象物を撮像装置毎に表示する例を示すが、他の操作対象物についても同様に撮像装置毎に表示するようにしてもよい。また、各撮像装置に関する他の操作対象物を表示するようにしてもよい。
【０１２２】
［情報処理装置の動作例］
図１２は、本技術の第２の実施の形態における情報処理装置２００による表示制御処理の処理手順の一例を示すフローチャートである。
【０１２３】
最初に、制御部２５０は、無線通信を利用して情報処理装置２００に接続されている撮像装置の数（接続数）を検出する（ステップＳ９２１）。この接続数の検出方法については、上述した何れかの方法を用いることができる。
【０１２４】
続いて、制御部２５０は、情報処理装置２００への接続数に変化が生じたか否かを判断する（ステップＳ９２２）。ここで、接続数に変化が生じた場合は、例えば、接続数が増加した場合、または、接続数が減少した場合を意味する。そして、接続数に変化が生じていない場合には（ステップＳ９２２）、ステップＳ９２６に進む。
【０１２５】
また、接続数に変化が生じた場合には（ステップＳ９２２）、制御部２５０は、その変化後の接続数が１であるか否かを判断する（ステップＳ９２３）。そして、その変化後の接続数が１である場合には（ステップＳ９２３）、制御部２５０は、接続数が１の場合の表示画面を入出力部２４０に表示させる（ステップＳ９２４）。例えば、図６に示す表示画面が入出力部２４０に表示される。
【０１２６】
その変化後の接続数が１ではない場合（２以上の場合）には（ステップＳ９２３）、制御部２５０は、接続数が複数の場合の表示画面を入出力部２４０に表示させる（ステップＳ９２５）。例えば、図１１のａに示す表示画面３１０が入出力部２４０に表示される。
【０１２７】
続いて、制御部２５０は、撮像動作の終了指示があったか否かを判断し（ステップＳ９２６）、撮像動作の終了指示がない場合には、ステップＳ９２１に戻り、撮像動作の終了指示があった場合には、表示制御処理の動作を終了する。
【０１２８】
［情報処理装置の動作例］
図１３は、本技術の第２の実施の形態における情報処理装置２００による表示制御処理の処理手順の一例を示すフローチャートである。図１３では、１つの情報処理装置２００に接続されている各撮像装置のうちの一部の撮像装置のライブビュー画像を拡大して表示する場合の例を示す。なお、図１３は、図１２に示す処理手順の一部を変形したものである。このため、図１２と共通する部分には、同一の符号を付してこれらの説明の一部を省略する。
【０１２９】
情報処理装置２００への接続数に変化が生じ（ステップＳ９２２）、その変化後の接続数が複数である場合には（ステップＳ９２３）、制御部２５０は、情報処理装置２００に装着されている撮像装置が存在するか否かを判断する（ステップＳ９３１）。
【０１３０】
情報処理装置２００に装着されている撮像装置が存在する場合には（ステップＳ９３１）、制御部２５０は、情報処理装置２００に装着されている撮像装置のライブビュー画像を拡大した表示画面を入出力部２４０に表示させる（ステップＳ９３２）。例えば、図１１のｂに示す表示画面３４０が入出力部２４０に表示される。
【０１３１】
情報処理装置２００に装着されている撮像装置が存在しない場合には（ステップＳ９３１）、制御部２５０は、情報処理装置２００に接続されている各撮像装置のライブビュー画像を同一サイズとした表示画面を入出力部２４０に表示させる（ステップＳ９３３）。例えば、図１１のａに示す表示画面３１０が入出力部２４０に表示される。
【０１３２】
［情報処理装置の動作例］
図１４は、本技術の第２の実施の形態における情報処理装置２００による画像の記録動作指示処理の処理手順の一例を示すフローチャートである。図１４では、情報処理装置２００に複数の撮像装置が接続され、接続数が複数の場合の表示画面（例えば、図１１のａに示す表示画面３１０）が入出力部２４０に表示されている場合の処理手順の一例を示す。
【０１３３】
最初に、制御部２５０は、情報処理装置２００に接続されている複数の撮像装置の全てに画像の記録動作を指示するための操作入力が行われたか否かを判断する（ステップＳ９４１）。例えば、図１１のａに示す操作対象物３１１の押下操作が行われたか否かが判断される（ステップＳ９４１）。
【０１３４】
複数の撮像装置の全てに画像の記録動作を指示するための操作入力が行われた場合には（ステップＳ９４１）、制御部２５０は、情報処理装置２００に接続されている全ての撮像装置に画像の記録動作を指示する（ステップＳ９４２）。例えば、制御部２５０は、情報処理装置２００に接続されている全ての撮像装置に、画像の記録動作を指示するための制御情報を無線通信部２３０、１５０を介して送信する。この制御情報を受信した各撮像装置は、その受信した制御情報に基づいて各部を制御して画像の記録処理を行う。
【０１３５】
その操作入力が行われていない場合には（ステップＳ９４１）、制御部２５０は、情報処理装置２００に接続されている複数の撮像装置のうちの一部に、画像の記録動作を指示するための操作入力が行われたか否かを判断する（ステップＳ９４３）。例えば、図１１のａに示す操作対象物３３１乃至３３４のうちの少なくとも１つの押下操作が行われたか否かが判断される（ステップＳ９４３）。
【０１３６】
複数の撮像装置のうちの一部に、画像の記録動作を指示するための操作入力が行われた場合には（ステップＳ９４３）、制御部２５０は、その操作入力が行われた撮像装置に画像の記録動作を指示する（ステップＳ９４４）。例えば、制御部２５０は、その操作入力が行われた撮像装置に、画像の記録動作を指示するための制御情報を無線通信部２３０、１５０を介して送信する。この制御情報を受信した撮像装置は、その受信した制御情報に基づいて各部を制御して画像の記録処理を行う。
【０１３７】
このように、情報処理装置２００の制御部２５０は、無線通信を利用して情報処理装置２００に接続される撮像装置の数に基づいて表示画面の表示態様を切り替える制御を行う。この場合に、制御部２５０は、情報処理装置２００に１つの撮像装置のみが接続されている場合には、その撮像装置により生成された画像（ライブビュー画像）と、その撮像装置を操作するための操作対象物とを含む表示画面を入出力部２４０に表示させる。一方、制御部２５０は、情報処理装置２００に複数の撮像装置が接続されている場合には、接続数が複数の場合の表示画面を入出力部２４０に表示させる。この接続数が複数の場合の表示画面は、例えば、複数の撮像装置のそれぞれにより生成された画像と、複数の撮像装置を同時に操作するための操作対象物と、複数の撮像装置のそれぞれを操作するための操作対象物とを含む表示画面である。
【０１３８】
また、制御部２５０は、情報処理装置２００に接続されている複数の撮像装置のうちで情報処理装置２００に装着されている撮像装置が存在する場合には、その撮像装置により生成された画像を拡大して表示させる制御を行うことができる。
【０１３９】
このように、本技術の実施の形態によれば、撮像装置および情報処理装置の使用態様に応じた適切なユーザインターフェースを提供することができる。
【０１４０】
なお、本技術の第１の実施の形態では、１つの撮像装置と複数の情報処理装置とが接続される例を示し、本技術の第２の実施の形態では、複数の撮像装置と１つの情報処理装置とが接続される例を示した。ただし、複数の撮像装置と複数の情報処理装置とが接続される場合についても、本技術の実施の形態を適用することができる。
【０１４１】
また、本技術の実施の形態では、静止画の記録動作を行うための表示画面を表示する例を示したが、動画の記録動作を行うための表示画面を表示する場合についても本技術の実施の形態を適用することができる。
【０１４２】
また、本技術の実施の形態では、円筒形（円柱形）の撮像装置１００乃至１０３を例にして説明したが、他の装置に取り付けることが可能な他の形状の撮像装置についても、本技術の実施の形態を適用することができる。また、本技術の実施の形態では、スマートフォン、タブレット端末等の情報処理装置２００乃至２０３を例にして説明したが、無線通信を利用して撮像装置と接続することが可能な他の装置についても、本技術の実施の形態を適用することができる。
【０１４３】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１４４】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１４５】
なお、本明細書に記載された効果はあくまで例示であって、限定されるものではなく、また、他の効果があってもよい。
【０１４６】
なお、本技術は以下のような構成もとることができる。
（１）
無線通信を利用して接続される撮像装置および情報処理装置の接続数に基づいて前記撮像装置の撮像動作に関する表示画面の表示態様を切り替える制御を行う制御部を具備する情報処理装置。
（２）
前記制御部は、無線通信を利用して前記撮像装置に接続される情報処理装置の数に基づいて前記表示画面の表示態様を切り替える制御を行う前記（１）に記載の情報処理装置。
（３）
前記制御部は、前記撮像装置に前記情報処理装置のみが接続されている場合には前記撮像装置を操作するための前記表示画面を表示させ、前記撮像装置に前記情報処理装置以外の他の情報処理装置が接続されている場合には前記撮像装置を操作するための操作権の有無に応じた前記表示画面を表示させる制御を行う前記（２）に記載の情報処理装置。
（４）
前記制御部は、前記撮像装置に前記情報処理装置および前記他の情報処理装置が接続されている場合において、前記情報処理装置が前記操作権を有するときには、前記撮像装置により生成された画像と前記撮像装置を操作するための操作対象物とを含む前記表示画面を表示させ、前記情報処理装置が前記操作権を有しないときには、前記撮像装置により生成された画像を含む前記表示画面を表示させる制御を行う前記（３）に記載の情報処理装置。
（５）
前記制御部は、無線通信を利用して前記情報処理装置に接続される撮像装置の数に基づいて前記表示画面の表示態様を切り替える制御を行う前記（１）に記載の情報処理装置。
（６）
前記制御部は、前記情報処理装置に１つの撮像装置のみが接続されている場合には当該撮像装置により生成された画像と当該撮像装置を操作するための操作対象物とを含む前記表示画面を表示させ、前記情報処理装置に複数の撮像装置が接続されている場合には前記複数の撮像装置のそれぞれにより生成された画像と前記複数の撮像装置を同時に操作するための操作対象物と前記複数の撮像装置のそれぞれを操作するための操作対象物とを含む前記表示画面を表示させる制御を行う前記（５）に記載の情報処理装置。
（７）
前記制御部は、前記情報処理装置に接続されている前記複数の撮像装置のうちで前記情報処理装置に装着されている撮像装置が存在する場合には当該撮像装置により生成された画像を拡大して表示させる制御を行う前記（６）に記載の情報処理装置。
（８）
無線通信を利用して接続される撮像装置および情報処理装置の接続数に基づいて表示態様が切り替えられる表示画面が表示される前記情報処理装置において行われる前記表示画面を用いた操作入力に基づいて撮像動作に関する制御を行う制御部を具備する撮像装置。
（９）
無線通信を利用して前記撮像装置に接続される情報処理装置の数に基づいて前記表示画面の表示態様が切り替えられる前記（８）に記載の撮像装置。
（１０）
前記撮像装置に１つの情報処理装置のみが接続されている場合には前記撮像装置を操作するための前記表示画面が当該情報処理装置に表示され、前記撮像装置に複数の情報処理装置が接続されている場合には前記撮像装置を操作するための操作権の有無に応じた前記表示画面が前記複数の情報処理装置のそれぞれに表示される前記（９）に記載の撮像装置。
（１１）
前記撮像装置に前記複数の情報処理装置が接続されている場合に、前記操作権を有する情報処理装置には、前記撮像装置により生成された画像と前記撮像装置を操作するための操作対象物とを含む前記表示画面が表示され、前記操作権を有しない情報処理装置には、前記撮像装置により生成された画像を含む前記表示画面が表示される前記（１０）に記載の撮像装置。
（１２）
無線通信を利用して前記情報処理装置に接続される撮像装置の数に基づいて前記表示画面の表示態様が切り替えられる前記（８）に記載の撮像装置。
（１３）
前記情報処理装置に１つの撮像装置のみが接続されている場合には当該撮像装置により生成された画像と当該撮像装置を操作するための操作対象物とを含む前記表示画面が前記情報処理装置に表示され、前記情報処理装置に複数の撮像装置が接続されている場合には前記複数の撮像装置のそれぞれにより生成された画像と前記複数の撮像装置を同時に操作するための操作対象物と前記複数の撮像装置のそれぞれを操作するための操作対象物とを含む前記表示画面が前記情報処理装置に表示される前記（１２）に記載の撮像装置。
（１４）
前記情報処理装置に接続されている前記複数の撮像装置のうちで前記情報処理装置に装着されている撮像装置が存在する場合には当該撮像装置により生成された画像が拡大して表示される前記（１３）に記載の撮像装置。
（１５）
無線通信を利用して情報処理装置と接続されて前記情報処理装置において行われる操作入力に基づいて撮像動作に関する制御が行われる撮像装置と、
無線通信を利用して接続される前記撮像装置および前記情報処理装置の接続数に基づいて前記撮像装置の撮像動作に関する表示画面の表示態様を切り替える制御を行う情報処理装置と
を具備する撮像システム。
（１６）
無線通信を利用して接続される撮像装置および情報処理装置の接続数に基づいて前記撮像装置の撮像動作に関する表示画面の表示態様を切り替える制御を行う情報処理装置の制御方法。
（１７）
無線通信を利用して接続される撮像装置および情報処理装置の接続数に基づいて表示態様が切り替えられる表示画面が表示される前記情報処理装置において行われる前記表示画面を用いた操作入力に基づいて撮像動作に関する制御を行う撮像装置の制御方法。
（１８）
無線通信を利用して接続される撮像装置および情報処理装置の接続数に基づいて前記撮像装置の撮像動作に関する表示画面の表示態様を切り替える制御をコンピュータに実行させるプログラム。
（１９）
無線通信を利用して接続される撮像装置および情報処理装置の接続数に基づいて表示態様が切り替えられる表示画面が表示される前記情報処理装置において行われる前記表示画面を用いた操作入力に基づいて撮像動作に関する制御をコンピュータに実行させるプログラム。
【符号の説明】
【０１４７】
１００〜１０３  撮像装置
１１０  撮像部
１２０  画像処理部
１３０  記憶部
１４０  制御部
１５０  無線通信部
１６０  鏡筒
１７１、１７２  取付部材
２００〜２０３  情報処理装置
２１０  姿勢検出部
２２０  操作受付部
２２１〜２２３  操作部材
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
0006465029.tif 000002
【図２】
0006465029.tif 000003
【図３】
0006465029.tif 000004
【図４】
0006465029.tif 000005
【図５】
0006465029.tif 000006
【図６】
0006465029.tif 000007
【図７】
0006465029.tif 000008
【図８】
0006465029.tif 000009
【図９】
0006465029.tif 000010
【図１０】
0006465029.tif 000011
【図１１】
0006465029.tif 000012
【図１２】
0006465029.tif 000013
【図１３】
0006465029.tif 000014
【図１４】
0006465029.tif 000015